(57)【要約】【課題】クリップが適正位置まで装着されていない場合でも、電線カバーを装着することにより適正位置まで押し込むことができて、クリップが中途装着状態のまま製品として流れてしまう懸念を払拭することのできる電線カバー付きコネクタを提供する。【解決手段】コネクタハウジング１０と、コネクタハウジングの後部に装着される電線カバー３０と、電線カバーの装着に先立ってコネクタハウジングの下面に後方から前方にスライドして装着されるクリップ７０とを備え、電線カバーが、先にコネクタハウジングに対して後方から前方に移動されることで仮装着される本体カバー３１と、後から本体カバーと合体されることで、電線カバーをコネクタハウジングに対して前後方向移動不能に本装着する蓋体カバーとに二分割され、本体カバーに、クリップが適正位置まで未到達の状態にあるとき、本体カバーのコネクタハウジングの前方への移動による仮装着操作に伴って、未到達の位置にあるクリップを適正位置まで押し込む押し込み部５０が設けられている。【選択図】図１０
2013140675.tif 000002
【特許請求の範囲】
【請求項１】
後方に電線が延びた複数の端子を収容するコネクタハウジングと、
該コネクタハウジングの後部に装着され、前記コネクタハウジングの後部から引き出された前記電線を保護しつつ所定の方向へ案内して導き出す電線カバーと、
前記電線カバーの装着に先立って前記コネクタハウジングの下面に、前記コネクタハウジングに対して後方から前方にスライドすることで着脱自在に装着され、パネルの取付孔に係合することで前記コネクタハウジングを前記パネルに固定するクリップと、
を備えた電線カバー付きコネクタであって、
前記電線カバーが、先に前記コネクタハウジングに対して後方から前方に移動されることで仮装着される本体カバーと、後から前記本体カバーと合体されることで前記電線カバーを前記コネクタハウジングに対して前後方向移動不能に本装着する蓋体カバーと、に二分割され、
前記本体カバーに、先に前記コネクタハウジングに装着した前記クリップが適正位置まで未到達の状態にあるとき、前記本体カバーの前記コネクタハウジングの前方への移動による仮装着操作に伴って、未到達の位置にある前記クリップを適正位置まで押し込む押し込み部が設けられていることを特徴とする電線カバー付きコネクタ。
【請求項２】
前記コネクタハウジングの後部に、前記電線の引出部を包囲するようにカバー装着部が設けられると共に、前記カバー装着部の後端に前記カバー装着部よりも径大な環状凸部が設けられ、
前記本体カバーと前記蓋体カバーには、前記本体カバーと前記蓋体カバーを合体したときに筒状をなして前記コネクタハウジングの前記カバー装着部を挟み込み、それにより前記電線カバーを前記コネクタハウジングに装着する前側の取付部と前記環状凸部を収容する後側の取付部がそれぞれ設けられ、
前記本体カバー側の前側の前記取付部は、前記本体カバーを後方から前方に移動して前記カバー装着部に装着するとき、前記環状凸部を通過し得る内径寸法に設定され、
前記蓋体カバー側の前側の前記取付部は、前記蓋体カバーを前記本体カバーに合体させた状態のときに、前記環状凸部に干渉することで後方への移動を規制し得る内径寸法に設定されていることを特徴とする請求項１に記載の電線カバー付きコネクタ。
【請求項３】
前記本体カバーの一端と前記蓋体カバーの一端とがヒンジを介して回動自在に連結され、前記本体カバーの他端と前記蓋体カバーの他端とに、前記本体カバーと前記蓋体カバーの合体時に互いにロックするロック部が設けられていることを特徴とする請求項１又は２に記載の電線カバー付きコネクタ。
【発明の詳細な説明】
【技術分野】
【０００１】
本発明は、電線カバー付きコネクタに関するものである。
【背景技術】
【０００２】
この種の電線カバー付きコネクタは、例えば、コネクタの取付位置によりその後面側に十分な配線スペースが確保できず、そのためにコネクタハウジングの後面の直後で電線を屈曲配線する必要がある場合や、コネクタハウジングの後面側を電線カバーで簡易防水する場合等に利用されており、従来その例として、特許文献１や特許文献２に記載されたものが知られている。
【０００３】
この電線カバー付きコネクタは、電線の端末に固着された端子金具が後面側から挿入されるコネクタハウジングと、このコネクタハウジングの後端部に装着される二つ割りの電線カバーとから構成されており、コネクタハウジングの後部から引き出された電線を、電線カバー内を通して直角に屈曲した方向に導出するようになっている。
【０００４】
ここで、上記従来例における電線カバー付きコネクタでは、各分割カバーにおけるコネクタハウジングへの取付側の端部に、コネクタハウジングの後端部の外周に位置決めされて嵌まる半割りの嵌合筒が設けられる一方、各分割カバーの突き合わせ端縁に互いにロックするロック部が設けられた構成となっている。そして、両分割カバーを合わせてロックして初めて、電線カバー自体がコネクタハウジングの後端部に取り付けられるようになっている。
【０００５】
また、特許文献３には、コネクタハウジングにクリップを着脱可能に装着し、そのクリップを用いてコネクタハウジングをパネルに固定できるようにしたコネクタが記載されている。
【先行技術文献】
【特許文献】
【０００６】
【特許文献１】特開２００４−１２７８１３号公報
【特許文献２】特開２００１−１４３８１２号公報
【特許文献３】特開２０１１−１５４９８４号公報
【０００７】
ところで、本出願人は、上記従来の電線カバー付きコネクタと類似のものとして、図１６〜図２３に示すように、コネクタハウジングにクリップを着脱自在に装着できるようにした電線カバー付きコネクタを考えた。
【０００８】
図１６は先行発明のコネクタハウジングにクリップを着脱自在に装着できるようにした電線カバー付きコネクタの分解斜視図、図１７はコネクタハウジングにクリップを装着しようとしている状態を示す断面図、図１８（ａ）はコネクタハウジングにクリップを装着した状態を示す断面図、図１８（ｂ）は正面図、図１９は同電線カバー付きコネクタの組立途中の状態を示す図で、コネクタハウジングの後部に電線カバーを装着しようとしている状態を示す平面図、図２０は同コネクタハウジングのカバー装着部に電線カバーの一方の分割体である本体カバーを仮装着した状態を示す平面図、図２１は図２０のＸＸＩ−ＸＸＩ矢視断面図、図２２は図２１の状態から蓋体カバーを回動させて、本体カバーに蓋体カバーを合体させてロックすることにより、電線カバーがコネクタハウジングに本装着された状態を示す図２１と同様の断面図、図２３（ａ）はコネクタハウジングにクリップを装着した際に、コネクタハウジングとクリップとが完全に係合していないときの状態を示す断面図、図２３（ｂ）は図２３（ａ）のＸＸＩＩＩ部の拡大図である。
【０００９】
この先行発明の電線カバー付きコネクタは、図１６に分解図を示すように、樹脂成形品よりなるコネクタハウジング１０と、パッキン材２１付きの電線Ｗの端末に接続された複数の端子２０と、コネクタハウジング１０の後部に装着される樹脂成形品よりなる電線カバー１３０と、電線カバー１３０の装着に先立ってコネクタハウジング１０の下面に後方から前方にスライドさせることにより装着される樹脂成形品よりなるクリップ１７０と、から構成されている。クリップ１７０は、電線カバー付きコネクタを車体パネル等に固定するためのものである。
【００１０】
コネクタハウジング１０の本体１０Ａの後部には電線引出部１１が突設され、電線引出部１１の後面に複数の端子収容室１２の入口が開口している。そして、各入口から端子収容室１２の内部に、後方から矢印Ａ１のように、電線Ｗの端末に取り付けた端子２０を挿入できるようになっている。また、そのように端子２０を挿入した際に、予め電線Ｗの外周に装着してある円筒状のパッキン材２１が、端子収容室１２の内周壁と電線Ｗとの隙間を封止するようになっている。端子２０をコネクタハウジング１０の各端子収容室１２に挿入すると、端子２０に接続された電線Ｗは、電線引出部１１から後方へ向けて引き出される。そして、これらの電線Ｗを保護しつつ所定の方向へ案内して導き出す目的で、コネクタハウジング１０の後部に電線カバー１３０が装着される。
【００１１】
この電線カバー１３０を装着するために、コネクタハウジング１０の後部には、電線引出部１１を包囲するように、断面楕円形（円形でもよい）のカバー装着部１３が設けられている。このカバー装着部１３の後端部には、電線カバー１３０の前後方向の位置規制のため、カバー装着部１３よりも径大の環状凸部１４が設けられている。また、コネクタハウジング１０の上面には、相手コネクタのハウジングと嵌合した際にロックするロックアーム１７と、ロックアーム保護枠１６とが設けられている。また、コネクタハウジング１０の下面には、クリップ１７０をスライド係合するためのクリップ取付部１５が設けられている。
【００１２】
クリップ１７０は、図示しないパネルの取付孔に、クリップ基体７１の下面に突設したアンカー部７２を挿入することによりパネルに固定されるものであり、クリップ基体７１の上面には、コネクタハウジング１０の下面のクリップ取付部１５に対して、矢印Ａ２のように後方から前方にスライドすることにより、クリップ取付部１５と係合するスライド係合部７３が設けられている。
【００１３】
スライド係合部７３は、前後方向に延在する一対の互いに平行なガイドレール７４、７４の間に、係止孔７５ａを有する片持平板状の係止アーム７５を設けたもので、係止アーム７５は、後端側がクリップ後端壁７６に連結されて前方に延びており、上下方向に撓み可能となっている。
【００１４】
一方、コネクタハウジング１０の下面のクリップ取付部１５は、図１７及び図１８に示すように、クリップ１７０のガイドレール７４、７４がそれぞれ外面にスライドする互いに平行な断面Ｌ字形の一対のスライドレール１５ａを有している。両スライドレール１５ａの内側には、スライドレール１５ａが断面Ｌ字形であることにより、係止アーム７５の両側縁がスライド自在に嵌まるスライド溝１５ｂが確保されている。スライド溝１５ｂの後端は係止アーム７５の両側縁を挿入できるように入口１５ｃとして開放されている。また、スライド溝１５ｂの前端は行き止まり壁１５ｄで閉じられており、係止アーム７５のそれ以上の前方への移動を規制している。また、両スライドレール１５ａの間のコネクタハウジング１０の下面には、係止アーム７５を撓ませながら係止孔７５ａと係合する係止突起１９が設けられている。
【００１５】
一方、電線カバー１３０は、先にコネクタハウジング１０の後部に装着される本体カバー３１と、後から本体カバー３１と合体されることで電線カバー１３０をコネクタハウジング１０に本装着する蓋体カバー３３と、に二分割されている。本体カバー３１と蓋体カバー３３は、下端同士が図２１に示すように、ヒンジ３２により回動自在（つまり開閉自在）に連結されている。
【００１６】
本体カバー３１と蓋体カバー３３には、本体カバー３１と蓋体カバー３３を合体したときに筒状をなしてコネクタハウジング１０のカバー装着部１３を挟み込み、それにより電線カバー１３０をコネクタハウジング１０に装着する半筒状の取付部３１Ａ、３３Ａと、コネクタハウジング１０の環状凸部１４を収容する半筒状の取付部３１Ｂ、３３Ｂがそれぞれ設けられている。前側の取付部３１Ａ、３３Ａは、カバー装着部１３と環状凸部１４の径寸法の関係に応じて、後側の取付部３１Ｂ、３３Ｂよりも内径が小さくなっており、前側の取付部３１Ａ、３３Ａがカバー装着部１３を挟み込むことにより、前側の取付部３１Ａ、３３Ａが環状凸部１４に当たることで、電線カバー１３０は後方に移動しないように規制される。
【００１７】
また、本体カバー３１には、コネクタハウジング１０の後部から引き出された電線Ｗを直角方向に曲げて誘導すると共に電線Ｗと共にテープを巻き付けることのできる電線誘導部３４が設けられている。
【００１８】
また、本体カバー３１のヒンジ３２と反対側の端部にはロック突起４１が設けられ、蓋体カバー３３のヒンジ３２と反対側の端部には、ロック突起４１の嵌まるロック孔４４を有したロックアーム４３が設けられている。本体カバー３１に蓋体カバー３３を合わせると、図２２に示すように、ロック突起４１にロックアーム４３が係合して、本体カバー３１と蓋体カバー３３とが合体状態に保持され、本体カバー３１の取付部３１Ａと蓋体カバー３３の取付部３３Ａとの間にコネクタハウジング１０のカバー装着部１３が挟まれる。それにより、電線カバー１３０がコネクタハウジング１０に本装着される。
【００１９】
この電線カバー付きコネクタを組み立てる場合は、まず、コネクタハウジング１０の各端子収容室１２に後端入口から、図１６中矢印Ａ１のように、電線Ｗの端末に接続した端子２０を挿入する。また、それと前後して、クリップ１７０を図１６中矢印Ａ２のように後方から前方にスライドさせて、コネクタハウジング１０の底面に装着する。その際、図１７及び図１８に示すように、クリップ１７０側の係止アーム７５の両側縁をコネクタハウジング１０側のクリップ取付部１５のスライドレール１５ａのスライド溝１５ｂに嵌めてスライドさせる。そうすると、適正位置まで係止アーム７５が進んだ段階で、係止アーム７５の係止孔７５ａに係止突起１９が係合し、クリップ７０が抜けないように固定される。
【００２０】
クリップ７０を装着すると共に全部の端子２０を挿入してコネクタを組み立てたら、コネクタハウジング１０の後部から後方へ引き出された電線Ｗを電線カバー１３０によって誘導しようとする方向へ曲げて癖付けしながら、図１９〜図２１に示すように、本体カバー３１の取付部３１Ａを、コネクタハウジング１０の後部のカバー装着部１３に、図１６の矢印Ａ３方向（左右方向）に移動して仮装着する。
【００２１】
次にその状態で、図２１の矢印Ｙ１で示すように蓋体カバー３３を回動させて、図２２に示すように蓋体カバー３３を本体カバー３１に合体させ、ロック突起４１とロックアーム４３をロックさせる。そして、最後に本体カバー３１に一体に設けた電線誘導部３４にテープを巻き付けることにより、電線Ｗを屈曲させた状態のままテープで固定し、こうすることにより電線カバー付きコネクタの組み立てが完了する。
【００２２】
ところで、クリップ１７０は、コネクタハウジング１０の下面に設けたクリップ取付部１５で係止されることになるのであるが、確実に係止されているかどうかは目視で確認するのみであるから、中途挿入状態（つまり、係止アーム７５と係止突起１９が適正に係合されていない未係合状態）で組立完了としてしまう懸念がある。
【００２３】
即ち、クリップ１７０の係止アーム７５は、クリップ取付部１５のスライド溝１５ｂ内において最後まで押し込むことで初めて、係止アーム７５の係止孔７５ａに係止突起１９が嵌まる適正係合状態になるのであるが、図２３に示すように、何らかの事情で最後まで係止アーム７５を押し込まずに、係止アーム７５が係止突起１９に乗り上げた状態で押し込み操作を止めてしまうことがあり得る。そうした場合、クリップ１７０の位置が僅かにずれているのを目視で確認すれば不適正係合状態であることが判るが、微妙な位置ズレを目視で確認することは非常に難しく、見逃すおそれがある。見逃した場合、そのまま組立完了品として製品が流れてしまう懸念がある。
【発明の概要】
【発明が解決しようとする課題】
【００２４】
本発明は、上述した事情に鑑みてなされたものであり、その目的は、クリップが適正位置まで装着されていない場合でも、電線カバーを装着することにより適正位置まで押し込むことができて、クリップが中途装着状態のまま製品として流れてしまう懸念を払拭することのできる電線カバー付きコネクタを提供することにある。
【課題を解決するための手段】
【００２５】
本発明の上記目的は、下記の構成により達成される。
（１）  後方に電線が延びた複数の端子を収容するコネクタハウジングと、
該コネクタハウジングの後部に装着され、前記コネクタハウジングの後部から引き出された前記電線を保護しつつ所定の方向へ案内して導き出す電線カバーと、
前記電線カバーの装着に先立って前記コネクタハウジングの下面に、前記コネクタハウジングに対して後方から前方にスライドすることで着脱自在に装着され、パネルの取付孔に係合することで前記コネクタハウジングを前記パネルに固定するクリップと、
を備えた電線カバー付きコネクタであって、
前記電線カバーが、先に前記コネクタハウジングに対して後方から前方に移動されることで仮装着される本体カバーと、後から前記本体カバーと合体されることで前記電線カバーを前記コネクタハウジングに対して前後方向移動不能に本装着する蓋体カバーと、に二分割され、
前記本体カバーに、先に前記コネクタハウジングに装着した前記クリップが適正位置まで未到達の状態にあるとき、前記本体カバーの前記コネクタハウジングの前方への移動による仮装着操作に伴って、未到達の位置にある前記クリップを適正位置まで押し込む押し込み部が設けられていることを特徴とする電線カバー付きコネクタ。
【００２６】
（２）  前記コネクタハウジングの後部に、前記電線の引出部を包囲するようにカバー装着部が設けられると共に、前記カバー装着部の後端に前記カバー装着部よりも径大な環状凸部が設けられ、
前記本体カバーと前記蓋体カバーには、前記本体カバーと前記蓋体カバーを合体したときに筒状をなして前記コネクタハウジングの前記カバー装着部を挟み込み、それにより前記電線カバーを前記コネクタハウジングに装着する前側の取付部と前記環状凸部を収容する後側の取付部がそれぞれ設けられ、
前記本体カバー側の前側の前記取付部は、前記本体カバーを後方から前方に移動して前記カバー装着部に装着するとき、前記環状凸部を通過し得る内径寸法に設定され、
前記蓋体カバー側の前側の前記取付部は、前記蓋体カバーを前記本体カバーに合体させた状態のときに、前記環状凸部に干渉することで後方への移動を規制し得る内径寸法に設定されていることを特徴とする上記（１）に記載の電線カバー付きコネクタ。
【００２７】
（３）  前記本体カバーの一端と前記蓋体カバーの一端とがヒンジを介して回動自在に連結され、前記本体カバーの他端と前記蓋体カバーの他端とに、前記本体カバーと前記蓋体カバーの合体時に互いにロックするロック部が設けられていることを特徴とする上記（１）又は（２）に記載の電線カバー付きコネクタ。
【００２８】
上記（１）の構成の電線カバー付きコネクタによれば、クリップが適正位置まで挿入されていない場合でも、後から電線カバーを装着することによりクリップを適正位置まで押し込むことができる。従って、電線カバーを装着するだけで、クリップの中途装着状態を解消することができ、不適正な組立状態のまま製品が流れるのを防止することができる。また、電線カバーをコネクタハウジングに装着するだけで、先に装着したクリップの後方への移動を電線カバーの押し込み部によって規制することができるので、クリップ自体に前後方向の係止を行う手段を設ける必要がなく、クリップやそのコネクタハウジング側の取付部の構成の単純化を図ることができる。また、クリップ自体に前後方向の係止を行う手段を設けない場合は、電線カバーを外せば、クリップを簡単に抜くことができるため、電線カバー付きコネクタの分解も容易に可能となる。
【００２９】
上記（２）の構成の電線カバー付きコネクタによれば、本体カバーを後方から前方に移動してコネクタハウジングに仮装着し、その状態で蓋体カバーを本体カバーに合体させることによって、電線カバーを前後方向移動不能な状態でコネクタハウジングに容易かつ確実に装着することができる。
【００３０】
上記（３）の構成の電線カバー付きコネクタによれば、ヒンジを支点にして蓋体カバーを先に仮装着してある本体カバーに向けて回動させ、本体カバーと蓋体カバーのロック部を互いにロックさせることによって、本体カバーと蓋体カバーとを合体させることができ、その状態で電線カバーをコネクタハウジングに本装着することができる。
【発明の効果】
【００３１】
本発明によれば、クリップが適正位置まで装着されていない場合でも、次に電線カバーを通常のように装着することにより、クリップを適正位置まで自動的に押し込むことができるので、クリップが中途装着状態のまま製品として流れてしまう懸念を払拭することができる。
【００３２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３３】
【図１】本発明の実施形態の電線カバー付きコネクタの分解斜視図である。
【図２】同電線カバー付きコネクタに使用する電線カバーの斜視図である。
【図３】同電線カバーの構成図で、図３（ａ）は正面図、図３（ｂ）は側面図、図３（ｃ）は背面図である。
【図４】同電線カバー付きコネクタに使用するクリップの構成図で、図４（ａ）は上から見た斜視図、図４（ｂ）は下から見た斜視図、図４（ｃ）は図４（ｂ）のＩＩＩｃ矢視図である。
【図５】同電線カバー付きコネクタにおいて、コネクタハウジングにクリップを装着しようとしている状態を示す断面図である。
【図６】図６（ａ）はコネクタハウジングにクリップを装着した状態を示す断面図、図６（ｂ）は正面図である。
【図７】同電線カバー付きコネクタの組立途中の状態を示す図で、コネクタハウジングの後部に電線カバーを装着しようとしている状態を示す平面図である。
【図８】同コネクタハウジングのカバー装着部に電線カバーの一方の分割体である本体カバーを仮装着した状態を示す平面図である。
【図９】前記クリップが中途挿入状態にある場合に、前記本体カバーをコネクタハウジングに仮装着する際の操作初期の状態を示す側断面図である。
【図１０】図９の次の段階として、本体カバーに設けた押し込み部がクリップの後端に当たった状態を示す側断面図である。
【図１１】図１０の次の段階として、本体カバーに設けた押し込み部がクリップを適正挿入位置まで押し込んで、本体カバーが仮装着位置にセットされたときの状態を示す側断面図である。
【図１２】図８のＸＩＩ−ＸＩＩ矢視断面図である。
【図１３】図１２の状態から本体カバーに蓋体カバーを合体させてロックすることにより、電線カバーをコネクタハウジングに本装着した状態を示す図１２と同様の断面図である。
【図１４】電線カバーに電線をテープ巻きしてワイヤーハーネスを構成した状態を示す斜視図である。
【図１５】電線カバーに電線をテープ巻きしてワイヤーハーネスを構成した状態を示す側面図である。
【図１６】先行発明のコネクタハウジングにクリップを着脱自在に装着できるようにした電線カバー付きコネクタの分解斜視図である。
【図１７】コネクタハウジングにクリップを装着しようとしている状態を示す断面図である。
【図１８】図１８（ａ）はコネクタハウジングにクリップを装着した状態を示す断面図、図１８（ｂ）は後面図である。
【図１９】同電線カバー付きコネクタの組立途中の状態を示す図で、コネクタハウジングの後部に電線カバーを装着しようとしている状態を示す平面図である。
【図２０】同コネクタハウジングのカバー装着部に電線カバーの一方の分割体である本体カバーを仮装着した状態を示す平面図である。
【図２１】図２０のＸＸＩ−ＸＸＩ矢視断面図である。
【図２２】図２１の状態から蓋体カバーを回動させて、本体カバーに蓋体カバーを合体させてロックすることにより、電線カバーがコネクタハウジングに本装着された状態を示す図２０と同様の断面図である。
【図２３】図２３（ａ）はコネクタハウジングにクリップを装着した際に、コネクタハウジングとクリップとが完全に係合していないときの状態を示す断面図、図２３（ｂ）は図２３（ａ）のＸＸＩＩＩ部の拡大図である。
【発明を実施するための形態】
【００３４】
以下、本発明の実施形態を図面を参照して説明する。
図１は実施形態の電線カバー付きコネクタの分解斜視図、図２は同電線カバー付きコネクタに使用する電線カバーの斜視図、図３は同電線カバーの構成図で、図３（ａ）は正面図、図３（ｂ）は側面図、図３（ｃ）は背面図、図４は同電線カバー付きコネクタに使用するクリップの構成図で、図４（ａ）は上から見た斜視図、図４（ｂ）は下から見た斜視図、図４（ｃ）は図４（ｂ）のＩＩＩｃ矢視図、図５は同電線カバー付きコネクタにおいて、コネクタハウジングにクリップを装着しようとしている状態を示す断面図、図６（ａ）はコネクタハウジングにクリップを装着した状態を示す断面図、図６（ｂ）は正面図である。
【００３５】
また、図７は同電線カバー付きコネクタの組立途中の状態を示す図で、コネクタハウジングの後部に電線カバーを装着しようとしている状態を示す平面図、図８は同コネクタハウジングのカバー装着部に電線カバーの一方の分割体である本体カバーを仮装着した状態を示す平面図、図９は前記クリップが中途挿入状態にある場合に、前記本体カバーをコネクタハウジングに仮装着する際の操作初期の状態を示す側断面図、図１０は図９の次の段階として、本体カバーに設けた押し込み部がクリップの後端に当たった状態を示す側断面図、図１１は図１０の次の段階として、本体カバーに設けた押し込み部がクリップを適正挿入位置まで押し込んで、本体カバーが仮装着位置にセットされたときの状態を示す側断面図である。
【００３６】
また、図１２は図８のＸＩＩ−ＸＩＩ矢視断面図、図１３は図１２の状態から本体カバーに蓋体カバーを合体させてロックすることにより、電線カバーをコネクタハウジングに本装着した状態を示す図１２と同様の断面図、図１４は電線カバーに電線をテープ巻きしてワイヤーハーネスを構成した状態を示す斜視図、図１５は電線カバーに電線をテープ巻きしてワイヤーハーネスを構成した状態を示す側面図である。
【００３７】
この電線カバー付きコネクタは、図１に分解図を示すように、樹脂成形品よりなるコネクタハウジング１０と、円筒状のパッキン材２１付きの電線Ｗの端末に接続された複数の端子２０と、コネクタハウジング１０の後部に装着される樹脂成形品よりなる電線カバー３０と、電線カバー３０の装着に先立ってコネクタハウジング１０の下面に後方から前方にスライドさせることにより装着される樹脂成形品よりなるクリップ７０と、から構成されている。
【００３８】
コネクタハウジング１０の本体１０Ａの後部には電線引出部１１が突設され、電線引出部１１の後面に複数の端子収容室１２の入口が開口している。そして、各入口から端子収容室１２の内部に、後方から矢印Ａ１のように、電線Ｗの端末に取り付けた端子２０を挿入できるようになっている。また、そのように端子２０を挿入した際に、予め電線Ｗの外周に装着してある円筒状のパッキン材２１が、端子収容室１２の内周壁と電線Ｗとの隙間を封止するようになっている。端子２０をコネクタハウジング１０の各端子収容室１２に挿入すると、端子２０に接続された電線Ｗは、電線引出部１１から後方へ向けて引き出される。そして、これらの電線Ｗを保護しつつ所定の方向へ案内して導き出す目的で、コネクタハウジング１０の後部に電線カバー３０が装着される。
【００３９】
この電線カバー３０を装着するために、コネクタハウジング１０の後部には、電線引出部１１を包囲するように、横方向（左右方向）に長軸を向け縦方向（上下方向）に短軸を向けた断面楕円形（円形でもよい）のカバー装着部１３が設けられている。このカバー装着部１３の後端部には、電線カバー１３０の前後方向の位置規制のため、カバー装着部１３よりも径大の環状凸部１４が設けられている。また、コネクタハウジング１０の上面には、相手コネクタのハウジングと嵌合した際にロックするロックアーム１７と、ロックアーム保護枠１６とが設けられている。また、コネクタハウジング１０の下面には、クリップ７０をスライド係合するためのクリップ取付部１５が設けられている。
【００４０】
クリップ７０は、図示しないパネルの取付孔に、クリップ基体７１の下面に突設したアンカー部７２を挿入することによりパネルに固定されるものであり、図４にも示すように、クリップ基体７１の上面には、コネクタハウジング１０の下面のクリップ取付部１５に対して、図１中矢印Ａ２のように後方から前方にスライドすることにより、クリップ取付部１５と係合するスライド係合部７３が設けられている。
【００４１】
スライド係合部７３は、前後方向に延在する一対の互いに平行なガイドレール７４、７４の間に、係止孔７５ａを有する片持平板状の係止アーム７５を設けたもので、係止アーム７５は、後端側がクリップ後端壁７６に連結されて前方に延びており、上下方向に撓み可能となっている。
【００４２】
アンカー部７２は、パネルの矩形状の取付孔に挿入されるもので、２本の柱部７７ｂと２本の柱部７７ｂの先端間に渡した梁部７７ａとを有する門型の挿入枠７７と、この門型の挿入枠７７の両側の開口面に設けた一対の係止羽根７８と、パネルの手前面に押し当たる押さえ羽根７９と、から構成されている。係止羽根７８は、梁部７７ａに基端が連結されて、先端がクリップ基体７１側に延びた片持梁として形成され、門型の挿入枠７７の開口面に垂直な方向に先端側が撓み可能となっており、係止羽根７８の先端側外面にパネルの取付孔の後縁に係止する係止段部７８ａを有している。
【００４３】
一方、コネクタハウジング１０の下面のクリップ取付部１５は、図５及び図６に示すように、クリップ７０のガイドレール７４、７４がそれぞれ外面にスライドする互いに平行な断面Ｌ字形の一対のスライドレール１５ａを有している。両スライドレール１５ａの内側には、スライドレール１５ａが断面Ｌ字形であることにより、係止アーム７５の両側縁がスライド自在に嵌まるスライド溝１５ｂが確保されている。スライド溝１５ｂの後端は、係止アーム７５の両側縁を挿入できるように入口１５ｃとして開放されている。また、スライド溝１５ｂの前端は行き止まり壁１５ｄで閉じられており、係止アーム７５のそれ以上の前方への移動を規制している。
【００４４】
なお、この実施形態では、両スライドレール１５ａの間のコネクタハウジング１０の下面に先行発明における係止突起１９（図１７及び図１８参照）は設けられていないし、また、係止アーム７５に先行発明における係止孔７５ａ（図１７及び図１８参照）は設けられていない。これは、後述するように、クリップ７０の後方への移動規制を電線カバー３０の押し込み部５０（図１１参照）によって行うためである。
【００４５】
また、電線カバー３０は、先にコネクタハウジング１０の後部に装着される本体カバー３１と、後から本体カバー３１と合体されることで電線カバー３０をコネクタハウジング１０に対して前後方向移動不能に本装着する蓋体カバー３３と、に二分割されている。本体カバー３１と蓋体カバー３３は、一端同士が図１２に示すように、ヒンジ３２により回動自在（つまり開閉自在）に連結されている。
【００４６】
本体カバー３１と蓋体カバー３３には、本体カバー３１と蓋体カバー３３を合体したときに筒状をなしてコネクタハウジング１０のカバー装着部１３を挟み込み、それにより電線カバー３０をコネクタハウジング１０に装着する半筒状の径小の前側の取付部３１Ａ、３３Ａと、コネクタハウジング１０の環状凸部１４を収容する半筒状の径大な後側の取付部３１Ｂ、３３Ｂがそれぞれ設けられている。
【００４７】
この場合、本体カバー３１は、図１に示すように、後方から前方に移動することによりコネクタハウジング１０に装着されるものであり、本体カバー３１側の前側の取付部３１Ａは、本体カバー３１を後方から前方に移動して前記カバー装着部に装着するときに、前記環状凸部１４を通過し得る内径寸法に設定されている。図１０〜図１２に示すように、前側の取付部３１Ａから後側の取付部３１Ｂまでの内径寸法は変化なく形成されている。
【００４８】
一方、蓋体カバー３３側の前側の取付部３３Ａは、図１３に示すように、蓋体カバー３３を本体カバー３１に合体させた状態のときに、カバー装着部１３の外周に密着し、環状凸部１４（図１１参照）に干渉することで後方への移動を規制し得る内径寸法に設定されている。
【００４９】
本体カバー３１と蓋体カバー３３の取付部３１Ａ、３３Ａの一端側にはそれぞれ合わせ壁３８、３５が連設されており、合わせ壁３８、３５の間にヒンジ３２が設けられている。
【００５０】
これらの合わせ壁３８、３５は、本体カバー３１と蓋体カバー３３を合体させた際に、図１３に示すように互いに面合わせとなる壁であり、これら合わせ壁３８、３５に設けた係合フック３７と係合孔３６が、本体カバー３１と蓋体カバー３３の合体時に互いに係合することにより、ヒンジ３２による取付部３１Ａ、３３Ａの一端側の連結を補強するようになっている。
【００５１】
この場合、本体カバー３１側の取付部３１Ａと蓋体カバー３３側の取付部３３Ａは、断面楕円形のカバー装着部１３を包囲する筒体を半周ずつに等分割したものではなく、本体カバー３１側の取付部３１Ａの方が、蓋体カバー３３側の取付部３３Ａよりも、大きくなる割合で分割されている。
【００５２】
また、図２及び図３に示すように、本体カバー３１と蓋体カバー３３の取付部３１Ａ、３３Ａのコネクタハウジング１０側（前側）の側方には、コネクタハウジング１０の本体１０Ａの後端面に当接することで電線カバー３０を前後方向に位置決めする位置決め壁４５、４６が設けられている。本体カバー３１の位置決め壁４５には、本体カバー３１をコネクタハウジング１０のカバー装着部１３に仮装着した状態で、本体カバー３１にカバー装着部１３の外周に沿った回転力が作用した際にコネクタハウジング１０に突き当たることで回転規制する回転規制部４５ａ、４５ｂが設けられている。
【００５３】
また、本体カバー３１の取付部３１Ａと位置決め壁４５の間には、壁状の押し込み部５０が設けられている。この押し込み部５０は、先にコネクタハウジング１０の底面に装着したクリップ７０が適正位置まで未到達のときに、本体カバー３１のコネクタハウジング１０の前方への移動による仮装着操作に伴って、未到達の位置にあるクリップ７０の後端を押圧してクリップ７０を適正位置まで押し込む役目を果たす部分である。
【００５４】
また、本体カバー３１には、コネクタハウジング１０の後部から引き出された電線Ｗを直角方向に曲げて誘導すると共に電線Ｗと共にテープＴ（図１４及び図１５参照）を巻き付けることのできる電線誘導部３４が設けられている。
【００５５】
また、本体カバー３１のヒンジ３２と反対側の端部にはロック突起（ロック部）４１が設けられ、蓋体カバー３３のヒンジ３２と反対側の端部には、ロック突起４１の嵌まるロック孔４４を有したロックアーム（ロック部）４３が設けられている。本体カバー３１に蓋体カバー３３を合わせると、図１３に示すように、ロック突起４１にロックアーム４３が係合して、本体カバー３１と蓋体カバー３３とが合体状態に保持され、本体カバー３１の取付部３１Ａと蓋体カバー３３の取付部３３Ａとの間にコネクタハウジング１０のカバー装着部１３が挟まれ、それにより、電線カバー３０がコネクタハウジング１０に本装着される。
【００５６】
この電線カバー付きコネクタを組み立てる場合は、まず、コネクタハウジング１０の各端子収容室１２に後端入口から、図１中矢印Ａ１のように、電線Ｗの端末に接続した端子２０を挿入する。また、それと前後して、クリップ７０を図１中矢印Ａ２のように後方から前方にスライドさせて、コネクタハウジング１０の底面に装着する。その際、図５及び図６に示すように、クリップ７０側の係止アーム７５の両側縁をコネクタハウジング１０側のクリップ取付部１５のスライドレール１５ａのスライド溝１５ｂに嵌めてスライドさせる。
【００５７】
クリップ７０を装着すると共に全部の端子２０を挿入してコネクタを組み立てたら、コネクタハウジング１０の後部から後方へ引き出された電線Ｗを電線カバー１３０によって誘導しようとする方向へ曲げて癖付けしながら、図７及び図８に示すように、本体カバー３１をコネクタハウジング１０の後部のカバー装着部１３に、図１中矢印Ａ４の方向（後方から前方）に移動して仮装着する。
【００５８】
その本体カバー３１の仮装着の過程において、図９に示すように、クリップ７０が適正位置まで挿入されておらず、コネクタハウジング１０の後方に突き出している場合は、図１０に示すように、前方に移動する本体カバー３１の押し込み部５０がクリップ７０の後端に突き当たり、クリップ７０を前方に押して適正位置までスライドさせる。そして、図１１に示すように、本体カバー３１が仮装着位置まで移動した段階で、クリップ７０が適正位置に挿入されて、押し込み部５０により後方へ抜けないように規制される。
【００５９】
次にその状態で、図１２の矢印Ｙ１で示すように蓋体カバー３３を回動させて、図１３に示すように蓋体カバー３３を本体カバー３１に合体させ、ロック突起４１とロックアーム４３をロックさせる。そして、図１４及び図１５に示すように、最後に本体カバー３１に一体に設けた電線誘導部３４にテープＴを巻き付けることにより、電線Ｗを屈曲させた状態のままテープＴで固定し、こうすることにより電線カバー付きコネクタの組み立てが完了する。
【００６０】
以上のように、この実施形態の電線カバー付きコネクタによれば、クリップ７０が適正位置まで挿入されていない場合でも、後から電線カバー３０を装着することによりクリップ７０を適正位置まで押し込むことができる。従って、電線カバー３０を装着するだけで、クリップ７０の中途装着状態を解消することができ、不適正な組立状態のまま製品が流れるのを防止することができる。
【００６１】
また、電線カバー３０をコネクタハウジング１０に装着するだけで、先に装着したクリップ７０の後方への移動を電線カバー３０の押し込み部５０によって規制することができるので、クリップ７０自体に前後方向の係止を行う手段を設ける必要がなく、クリップ７０やそのコネクタハウジング１０側のクリップ取付部１５の構成の単純化を図ることができる。また、クリップ７０自体に前後方向の係止を行う手段を設けない場合は、電線カバー３０を外せば、クリップ７０を簡単に抜くことができるため、電線カバー付きコネクタの分解も容易になる。
【００６２】
また、この実施形態の電線カバー付きコネクタによれば、本体カバー３１を後方から前方に移動してコネクタハウジング１０に仮装着し、その状態で蓋体カバー３３を本体カバー３１に合体させることによって、電線カバー３０を前後方向移動不能な状態でコネクタハウジング１０に容易確実に装着することができるので、作業性がよい。
【００６３】
また、本体カバー３１に、コネクタハウジング１０に衝突することで本体カバー３１の回転を規制する回転規制部４５ａ、４５ｂを設けているので、蓋体カバー３３を本体カバー３１に合体させる際に本体カバー３１に回転力が作用した場合にも、本体カバー３１を回転しないように保持しておくことができる。従って、片方の手で本体カバー３１を回転しないように押さえながら、もう片方の手で蓋体カバー３３を本体カバー３１に合体させるというような両手作業をする必要がなく、片手作業で容易に蓋体カバー３３を本体カバー３１に合体させることができて、電線カバー３０をコネクタハウジング１０に本装着することができる。
【００６４】
特に、本実施形態では、ヒンジ３２を支点にして蓋体カバー３３を先に仮装着してある本体カバー３１に向けて回動させ、本体カバー３１と蓋体カバー３３を互いにロックさせることによって、本体カバー３１と蓋体カバー３３とを合体させることができ、それにより電線カバー３０をコネクタハウジング１０に容易に本装着することができ、組立作業性の向上を図ることができる。
【００６５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６６】
例えば、上記実施形態では、ヒンジ３２により本体カバー３１と蓋体カバー３３を連結しているが、ヒンジ３２を省略して本体カバー３１と蓋体カバー３３を別体に構成してもよい。
【符号の説明】
【００６７】
１０  コネクタハウジング
１１  電線引出部
１３  カバー装着部
１４  環状凸部
２０  端子
３０  電線カバー
３１  本体カバー
３１Ａ  前側の取付部
３１Ｂ  後側の取付部
３２  ヒンジ
３３  蓋体カバー
４１  ロック突起（ロック部）
４３  ロックアーム（ロック部）
５０  押し込み部
７０  クリップ
Ｗ  電線
【図１】
2013140675.tif 000003
【図２】
2013140675.tif 000004
【図３】
2013140675.tif 000005
【図４】
2013140675.tif 000006
【図５】
2013140675.tif 000007
【図６】
2013140675.tif 000008
【図７】
2013140675.tif 000009
【図８】
2013140675.tif 000010
【図９】
2013140675.tif 000011
【図１０】
2013140675.tif 000012
【図１１】
2013140675.tif 000013
【図１２】
2013140675.tif 000014
【図１３】
2013140675.tif 000015
【図１４】
2013140675.tif 000016
【図１５】
2013140675.tif 000017
【図１６】
2013140675.tif 000018
【図１７】
2013140675.tif 000019
【図１８】
2013140675.tif 000020
【図１９】
2013140675.tif 000021
【図２０】
2013140675.tif 000022
【図２１】
2013140675.tif 000023
【図２２】
2013140675.tif 000024
【図２３】
2013140675.tif 000025